(57)【要約】【課題】薬液を充分に保持するとともに、梳く能力が高い塗布用捻りブラシを提供する。【解決手段】ブラシ１は、２本の線状の芯材２に合成樹脂製の毛材３を多数挟持した後に、前記各芯材２を捻り絞ることによって、各毛材３を螺旋状に固定してなる塗布部４を備え、塗布部４は、ヒータ５を用いて、毛材３が存在する毛材部６と、毛材３が存在しない間隙部７とを、ブラシ長手方向に延び、かつ、前記芯材２の周方向に交互に４列配列するよう形成して構成する。間隙部７に塗布液ａを充分に保持できるうえ、毛材３の前記各端点３ａが毛材部６の峰部に位置し、毛材３が毛状の塗布対象ａに対して整列しており、塗布対象ａと毛材３が線と線で接触し、塗布対象ａを従来のもののように屈曲させることなく梳くことができる【選択図】図１
2006051235.tif 000002
【特許請求の範囲】
【請求項１】
複数本の線状の芯材に毛材を挟持し、前記各芯材を捻り絞ることによって、毛材を螺旋状に保持してなる塗布部を備えた塗布用捻りブラシであって、塗布部は、少なくとも熱を用いて、毛材が存在する毛材部と毛材が存在しない間隙部とを、ブラシ長手方向に延び、かつ、前記芯材の周方向に交互に配列するよう形成したことを特徴とする塗布用捻りブラシ。
【請求項２】
毛材部と間隙部とがそれぞれ３列〜６列であることを特徴とする請求項１に記載の塗布用捻りブラシ。
【請求項３】
複数本の線状の芯材に合成樹脂製の毛材を挟持し、前記各芯材を捻り絞ることによって、毛材を螺旋状に保持してなる塗布部を備えた塗布用捻りブラシであって、塗布部は、熱を用いて、毛材が存在する毛材部と毛材が存在しない間隙部とを、ブラシ長手方向に延び、かつ、前記芯材の周方向に交互に配列するとともに、前記各毛材部の側部を、間隙部側に膨らむように湾曲成形したことを特徴とする塗布用捻りブラシ。
【請求項４】
複数本の線状の芯材に天然の毛材を挟持し、前記各芯材を捻り絞ることによって、毛材を螺旋状に保持してなる塗布部を備えた塗布用捻りブラシであって、塗布部は、熱とパーマ液を用いて、毛材が存在する毛材部と毛材が存在しない間隙部とを、ブラシ長手方向に延び、かつ、前記芯材の周方向に交互に配列するとともに、前記各毛材部の側部を、間隙部側に膨らむように湾曲成形したことを特徴とする塗布用捻りブラシ。
【請求項５】
ブラシの最大径が４〜８ｍｍであり、化粧料塗布用であることを特徴とする請求項１〜請求項４のうちいずれか１項に記載した塗布用捻りブラシ。
【発明の詳細な説明】
【技術分野】
【０００１】
本発明は、多数の毛材を挟持した複数本の線状の心材を捻じることによって、前記心材に前記毛材を保持してなる塗布部を備えた塗布用捻りブラシであって、マスカラ塗布用あるいは毛染めブラシに適用すると好適な塗布用捻りブラシに係り、特に、長手方向に延びる複数列の間隙部を配列したものに関する。
【背景技術】
【０００２】
図６（ブラシの正面図）に示すように、従来のこの種マスカラ塗布用ブラシ１０１としては、複数本の線状の芯材１０２に毛材１０３を挟持し、前記各芯材１０２を捻り絞ることによって、毛材１０３をブラシの長手方向に延びるように、螺旋状に固定した後に、毛材１０３を刈り込んで、毛材１０３が存在する毛材部１０４と毛材１０３が存在しない間隙部１０５とを、前記芯材１０２の周方向に交互に配列したものが提案されている。このマスカラ塗布用ブラシ１０１は、前記複数の間隙部１０５で主にマスカラを保持し、毛材部１０４で睫毛を梳くという作用をもつものである。
【特許文献１】特開昭−１９３６０４号公報
【発明の開示】
【発明が解決しようとする課題】
【０００３】
図６に示すように、上記従来のマスカラ塗布用ブラシ１０１は、間隙部１０５でマスカラを多く保持できるという優れた効果をもっているが、間隙部１０５それぞれが放射状に延びる毛材１０３を刈り込んで形成されるため、前記間隙部１０５に面する部分の毛材１０３には短くなったものが含まれ、これら短い毛材１０３先端の端点１０３ａが間隙部１０５に突き出た状態で散在する。このように形成された前記マスカラ塗布用ブラシ１０１は、マスカラ塗布時の梳く動作において、毛材１０３の前記各端点１０３ａが散在状態で、毛材１０３が塗布対象である睫毛に対して整列しておらず、睫毛を毛材１０３の端点１０３ａと端点１０３ａの間に挟んで屈曲させるため、前記梳くという動作についてはその能力が低くなるという問題があった。また、間隙部１０５の奥部には毛材１０３が残存するため、マスカラの保持量がその分減少するほか、睫毛を梳く際の抵抗となり、塗布操作能力を低下させるという問題があった。
【０００４】
本発明は、上記各問題を解消することを課題とし、該課題を解決した塗布用捻りブラシを提供することを目的とする。
【課題を解決するための手段】
【０００５】
前記目的を達成するために、請求項１に記載の塗布用捻りブラシは、複数本の線状の芯材に毛材を挟持し、前記各芯材を捻り絞ることによって、毛材を螺旋状に保持してなる塗布部を備えた塗布用捻りブラシであって、塗布部は、少なくとも熱を用いて、毛材が存在する毛材部と毛材が存在しない間隙部とを、ブラシ長手方向に延び、かつ、前記芯材の周方向に交互に複数列配列するよう形成したものである。
【０００６】
また、請求項２に記載の塗布用捻りブラシは、請求項１に記載の毛材部と間隙部とがそれぞれ３〜６列にしたものである。
【０００７】
また、請求項３に記載の塗布用捻りブラシは、複数本の線状の芯材に合成樹脂製の毛材を挟持し、前記各芯材を捻り絞ることによって、毛材を螺旋状に保持してなる塗布部を備えた塗布用捻りブラシであって、塗布部は、熱を用いて、毛材が存在する毛材部と、毛材が存在しない間隙部とを、ブラシ長手方向に延び、かつ、前記芯材の周方向に交互に複数列配列するとともに、前記各毛材部の側部を、間隙部側に膨らむように湾曲成形したものである。
【０００８】
また、請求項４に記載の塗布用捻りブラシは、複数本の線状の芯材に天然の毛材を挟持し、前記各芯材を捻り絞ることによって、毛材を螺旋状に保持してなる塗布部を備えた塗布用捻りブラシであって、塗布部は、熱とパーマ液を用いて、毛材が存在する毛材部と、毛材が存在しない間隙部とを、ブラシ長手方向に延び、かつ、前記芯材の周方向に交互に複数列配列するとともに、前記各毛材部の側部を、間隙部側に膨らむように湾曲成形したものである。
【０００９】
また、請求項５に記載の塗布用捻りブラシは、請求項１〜請求項４に記載のうちいずれか１項に記載の塗布用捻りブラシの最大径が４〜８ｍｍであり、化粧料塗布用である。
【発明の効果】
【００１０】
請求項１に記載の発明は、間隙部に塗布液を充分に保持できるうえ、毛材の前記各端点が毛材部の峰部に位置し、毛材が毛状の塗布対象に対して整列した状態となり、塗布対象と毛材が線と線で接触し、従来のもののように塗布対象を屈曲させることなく梳いて塗布液を塗布することができるという効果を奏する。
【００１１】
また、請求項２に記載の発明は、３〜６列の間隙部に塗布液を充分かつ確実に保持できるうえ、３〜６列の毛材の前記各端点が毛材部の峰部に位置し、毛材が毛状の塗布対象に対して整列した状態となり、塗布対象と毛材が線と線で接触し、従来のもののように塗布対象を屈曲させることなく梳くことができ、また、毛材部と間隙部をそれぞれ３〜６列にしたので、２列以下及び７列以上のものと比較して、前記効果をより優れたものにできるという効果を奏する。
【００１２】
請求項３に記載の発明は、間隙部に塗布液を充分に保持できるうえ、合成樹脂製の毛材の前記各端点が毛材部の峰部に位置し、毛材が毛状の塗布対象に対して整列した状態となり、塗布対象と毛材が線と線で接触し、従来のもののように塗布対象を屈曲させることなく梳くことができるという効果を奏する。
【００１３】
請求項４に記載の発明は、間隙部に塗布液を充分に保持できるうえ、天然毛の毛材の前記各端点が毛材部の峰部に位置し、毛材が毛状の塗布対象に対して整列した状態となり、塗布対象と毛材が線と線で接触し、従来のもののように塗布対象を屈曲させることなく梳くことができるという効果を奏する。
【００１４】
請求項５に記載の発明は、間隙部に塗布液を充分に保持できるうえ、毛材の前記各端点が毛材部の峰部に位置し、毛材が毛状の塗布対象に対して整列しており、塗布対象と毛材が線と線で接触し、塗布対象を従来のもののように塗布対象を屈曲させることなく梳くことができ、マスカラ液塗布用などの化粧料塗布用に好適であるという効果を奏する。
【発明を実施するための最良の形態】
【００１５】
次に、本発明をマスカラ液塗布用ブラシに適用した最良の実施形態を添付図面の図１〜図４に基づいて詳細に説明する。ここにおいて、図１は塗布用捻りブラシの正面図、図２は塗布用捻りブラシの側面図、図３は間隙部を形成する前の状態を示すブラシ基材の正面図、図４はマスカラ容器の断面図である。また、図５は他の実施形態を示すブラシの正面図である。
【００１６】
図１〜図３に示すように、ブラシ１は、２本の線状の芯材２に合成樹脂製の毛材３を多数挟持した後に、前記各芯材２を捻り絞ることによって、各毛材３を螺旋状に固定し（図３参照）てなる塗布部４を備え、この塗布部４は、線状のヒータ５を、ブラシ１の長手方向に延びるようにして前記塗布部４の基端部分に当て、毛材３が存在する毛材部６と毛材３が存在しない間隙部７とを、前記芯材２の周方向に交互に４列配列するとともに、前記各毛材部６の側部を、間隙部７側に膨らむような湾曲形状に成形して構成する。
【００１７】
図１〜図３に示すように、それぞれ４列の間隙部７と毛材部６は、各毛材３が螺旋状に外側に伸びるブラシ１の芯材２に沿ってヒータ５を当てることによって、基端部分の毛材３を湾曲させて間隙部７を形成する。また、ブラシ１は、その塗布部４をマスカラ塗布用として好適な直径４〜８ｍｍの大きさとする。
【００１８】
次に、上記ブラシ１をマスカラ塗布具に適用した実施形態を図４に基づいて説明する。
【００１９】
図４に示すように、マスカラ塗布具５１は、上端に口部５２を有するとともに、内部にマスカラａを収容するための液溜５３を有する容器５４と、前記口部５２に螺合してこれを閉蓋するためのキャップ５５と、このキャップ５５に一体的に設け、キャップ５５で前記口部５２を閉蓋した状態において前記液溜５３にその塗布部４が収容されるようになしたブラシ１と、前記口部５２の内側に配置し、キャップ５５とともに前記ブラシ１を引き抜くときに塗布部４に付着した余分なマスカラａを掻き落とすための絞り具５６とを備える。
【００２０】
前記マスカラ塗布具５１は、使用に際して、キャップ５５を、螺合を解く方向に回転させて開蓋し、そのまま口部５２から引き抜くと、マスカラａが付着した塗布部４が絞り部５６を通過し余分なマスカラａが掻き落とされる。外部に引き出された前記塗布部４にあっては、マスカラａが各毛材３間と各間隙部７に入り、その多くは該各間隙部７に保持されることになる。ここで、このブラシ１によって睫毛に対して塗布操作を行うと、各毛材３で睫毛を梳き、同時に間隙部７のマスカラａが睫毛に供給される。そして、この毛材３による梳く動作にあっては、各毛材３が睫毛に対して整列した状態となり、睫毛と毛材が線と線で接触し、睫毛を屈曲させることなく梳くことが可能である。
【００２１】
なお、本発明は、上記実施形態になんら限定されるものではなく、例えば、マスカラ塗布用ブラシに限らず、他の化粧料塗布用ブラシに適用してもよいほか、化粧料塗布用ではない他の液剤塗布用に適用してもよい。また、毛材３は、合成樹脂製ではなく、天然の毛材を用いてもよい。この場合、毛材３を成形する際に、ヒータ５とともにパーマ液を使用する。さらに、交互に配列する毛材部６と間隙部７とは、上記実施形態のようにそれぞれ４列ではなくてもよい。またさらに、図５に示すように、前記各毛材部６の側部は、間隙部７側に膨らむように湾曲成形しなくてもよい。
【図面の簡単な説明】
【００２２】
【図１】塗布用捻りブラシの正面図。
【図２】塗布用捻りブラシの側面図。
【図３】間隙部を形成する前の状態を示すブラシ基材の正面図。
【図４】マスカラ容器の断面図
【図５】他の実施形態を示すブラシの正面図。
【図６】従来例を示す塗布用捻りブラシの正面図
【符号の説明】
【００２３】
ａ    マスカラ
１    ブラシ
１ａ    ブラシ基材
２    芯材
４    塗布部
３    毛材
５    ヒータ
６    毛材部
７    間隙部
５１    マスカラ塗布具
５２    口部
５３    液溜
５４    容器
５５    キャップ
５６    絞り具
１０１    ブラシ
１０２    芯材
１０３    毛材
１０４    毛材部
１０５    間隙
【図１】
2006051235.tif 000003
【図２】
2006051235.tif 000004
【図３】
2006051235.tif 000005
【図４】
2006051235.tif 000006
【図５】
2006051235.tif 000007
【図６】
2006051235.tif 000008